(57)【特許請求の範囲】
【請求項１】
容器本体と蓋体、シール部材と計量スプーンとからなる計量スプーン付容器であって、
容器本体は、口部と胴部、底部とからなり、
口部内周下部には、周縁に貼着突条を設け、その内方部分に取出口と棚板部とからなる開口部が設けられており、
取出口の周縁には、すり切りを設け、棚板部には、計量スプーンが係止される係止部が設けられており、
蓋体は、容器本体の上方を覆う頂壁と側壁とから形成されており、
シール部材は、貼着突条に貼付されるシール材と、引張り部とから形成されており、
計量スプーンは、計量部と柄部と取付部とから形成され、取付部は、棚板部の係止部に係止され、
計量部と柄部の全長が、容器本体内の底部にほぼ届く長さに設定されており、
前記計量スプーンの柄部と取付部とがヒンジにより連設されていることを特徴とする計量スプーン付容器。
【請求項２】
容器本体と蓋体、シール部材と計量スプーンとからなる計量スプーン付容器であって、
容器本体は、口部と胴部、底部とからなり、
口部内周下部には、周縁に貼着突条を設け、その内方部分に取出口と棚板部とからなる開口部が設けられており、
取出口の周縁には、すり切りを設け、棚板部には、計量スプーンが係止される係止部が設けられており、
蓋体は、容器本体の上方を覆う頂壁と側壁とから形成されており、
シール部材は、貼着突条に貼付されるシール材と、引張り部とから形成されており、
計量スプーンは、計量部と柄部と取付部とから形成され、取付部は、棚板部の係止部に係止され、
計量部と柄部の全長が、容器本体内の底部にほぼ届く長さに設定されており、
前記計量スプーンの取付部が、柄部の上端に設けた馬蹄形の係止部であって、すり切りに係合可能とされていることを特徴とする計量スプーン付容器。
【発明の詳細な説明】
【技術分野】
【０００１】
本発明は、容器の計量スプーンに関するものである。
【背景技術】
【０００２】
従来周知の粉ミルク等の粉末容器は、計量スプーンを内容物が充填された容器内に入れていたので、スプーンを取り出すときに手指が内容物に触れたりして衛生的でないという問題があった。
また、スプーンを別添にする場合には、スプーンが何処かへ行ってしまうこともたびたびみられた。
これらの問題を解決するため、容器内にスプーンを係止する係止部を設けた容器も、従来より知られている（例えば特許文献１、２参照）。
【特許文献１】実公昭３６−１７３９４号公報
【特許文献２】実用登録第２５８３０６３号公報
【発明の開示】
【発明が解決しようとする課題】
【０００３】
しかしながら、前記特許文献１記載の容器は、スプーンの端部を引掛け、スプーンを取りやすくするため、スプーンが内容物の上にでるようにしているので、柄を長くすることができなかった。
また、内容物とスプーンがシールされていないので、蓋体の密封性が悪いと使用開始まで内容物の品質が確保できないという問題があった。
【０００４】
また、特許文献２記載の容器は、スプーンを水平に保持するものであるから、柄を長くすることはできなかった。
そのため、従来のスプーンは、いずれも容器の深さに対して、柄が短く、内容物が少なくなると、スプーンの先が容器の底まで届かず、使い勝手が悪いという問題があった。
【０００５】
本発明は、上記問題を解決することを課題として、計量スプーンを、その先端が容器の底まで届く長さとするとともに、計量スプーンの柄部と取付部をヒンジ結合して、スプーンと内容物とをシール部材でシールするようにした粉ミルク等の計量スプーン付容器を提供することを目的とする。
【課題を解決するための手段】
【０００６】
本発明は、上記の課題を解決するため、計量スプーン付容器として、容器本体と蓋体、シール部材と計量スプーンとからなる計量スプーン付容器であって、容器本体は、口部と胴部、底部とからなり、口部内周下部には、周縁に貼着突条を設け、その内方部分に取出口と棚板部とからなる開口部が設けられており、取出口の周縁には、すり切りを設け、棚板部には、計量スプーンが係止される係止部が設けられており、蓋体は、容器本体の上方を覆う頂壁と側壁とから形成されており、シール部材は、貼着突条に貼付されるシール材と、引張り部とから形成されており、計量スプーンは、計量部と柄部と取付部とから形成され、取付部は、棚板部の係止部に係止され、計量部と柄部の全長が、容器本体内の底部にほぼ届く長さに設定されており、前記計量スプーンの柄部と取付部とがヒンジにより連設されていることを特徴とする構成を採用する。
【０００７】
計量スプーン付容器の別実施例として、容器本体と蓋体、シール部材と計量スプーンとからなる計量スプーン付容器であって、容器本体は、口部と胴部、底部とからなり、口部内周下部には、周縁に貼着突条を設け、その内方部分に取出口と棚板部とからなる開口部が設けられており、取出口の周縁には、すり切りを設け、棚板部には、計量スプーンが係止される係止部が設けられており、蓋体は、容器本体の上方を覆う頂壁と側壁とから形成されており、シール部材は、貼着突条に貼付されるシール材と、引張り部とから形成されており、計量スプーンは、計量部と柄部と取付部とから形成され、取付部は、棚板部の係止部に係止され、計量部と柄部の全長が、容器本体内の底部にほぼ届く長さに設定されており、前記計量スプーンの取付部が、柄部の上端に設けた馬蹄形の係止部であって、すり切りに係合可能とされていることを特徴とする構成を採用する。
【発明の効果】
【０００９】
本発明の計量スプーン付容器は、計量部と柄部の全長を容器本体内の底部にほぼ届く長さに設定されているので、内容物が少なくなった時にも使い勝手が良く消費者に満足感が得られるものとなっている。
また、計量スプーンの柄部と取付部をヒンジ結合することにより、取付部と柄部と計量部との長さの和が、容器本体内の底部にほぼ届く長さに設定されるので、結果として柄部の長さを短くすることが可能となり、製品コストの低減になっている。
さらにまた、開口部がシール部材により貼付覆われているので、消費者が最初に使用する時までの品質が保障されることとなった。
【発明を実施するための最良の形態】
【００１０】
次に、本発明の計量スプーン付容器について、実施例をあげて、図面を参照して説明する。
【実施例１】
【００１１】
図１、２に示すように、本発明の計量スプーン付容器は、容器本体１と蓋体２とシール部材３と計量スプーン４とから構成されている。
【００１２】
容器本体１は、上端を開口端５としたアルミ、その他金属製の板体によって成形された缶状体で、胴部６と底部７を具えている。
容器本体１の開口端５外周には、蓋体２を係止する膨出環８が形成されており、上端から下方に折り返され、開口部９が形成されている。
【００１３】
開口部９の周縁には、シール部材３の貼着突条１０が設けられ、それより少し下がって位置して取出口１１と、棚板部１２が形成されている。
取出口１１は、円弧縁と直線縁とからなり、周縁には断面が円筒状の補強リング１３が形成されており、取出口１１の直線縁は、すり切り１４となっている。
棚板部１２の中央には、シール部材３を取付ける係止部１５が板上から上方にわずかに突出するように突設されている。
【００１４】
蓋体２は、開口部９を覆う頂壁２０と側壁２１とからなり、側壁２１の下端内周には、開口端５外周に形成された膨出環８に係合する係合突条２２が設けられている。
側壁２１の下方には、受蓋体２３が、容器本体１の胴部６の上端部に嵌合されており、側壁２１と受蓋体２３は、容器のバージン性を保障する切裂き可能な薄肉の連結片２４で連設されている。
【００１５】
シール部材３は、積層アルミシート、或いは合成樹脂シート等で形成されたシール材２５と、該シール材２５の端縁に連設されたリング状の引張り部２６とからなっている。
シール材２５の周縁は、開口部９の貼着突条１０に貼着され、取出口１１と棚板部１２の係止部１５を覆っている。
【００１６】
計量スプーン４は、合成樹脂によって整形され、計量部３０と柄部３１、取付部３２とからなり、柄部３１と取付部３２は、薄肉のヒンジ３３によって結合されている。
柄部３１の裏面には、リブ３４が設けられて補強されており、取付部３２は、棚板部１２の係止部１５が挿入される円形の穴部３５が穿設されている。
柄部３１と計量部３０の長さは、計量スプーン４を、係止部１５に取着した時に、計量部３０の先端が容器本体１の底部７にほぼ届くだけの長さを有しており、ヒンジ３３を開いて取付部３２を手指で持った時には、計量部３０は底部７まで届くようになっている。
【００１７】
次に、本実施例容器の使用態様と作用効果について説明する。
本実施例の容器は、容器本体１内に、粉ミルクその他粉末、顆粒状の内容物、或いは粘性液、液体等が収納され、計量スプーン４を、その取付部３２を棚板部１２の係止部１５に嵌挿させる。
その際には、計量部３０の先端は、底部７近くまで垂下され、取付部３２と柄部３１の上端は、内容物の表面より出ている。
次に、シール材２５が貼着され、内容物と計量スプーン４が密封される。
【００１８】
使用にあたっては、まず、連結片２４を切裂き、蓋体２を開封し、次いで、シール部材３の引張り部２６を引上げると、シール材２５が貼着突条１０から剥離され、内容物と計量スプーン４が露出され、計量スプーン４を使って内容物を取出すことができる。
その際、シール部材３が剥離されるまでは内容物の品質は保障され、計量スプーン４をその取付部３２と柄部３１の上端部をつかんで引出すことができるので、手指が内容物に触れることなく、衛生的である。
【００１９】
計量スプーン４の長さは、容器本体１の底部７までの深さより長くなるので、内容物が少なくなっても最後まで取出すことができる。
したがって、本実施例の容器は、衛生的であるとともに、使い勝手がよくなった。
【実施例２】
【００２０】
次に、計量スプーンの別実施例について説明する。
本実施例は、柄部の上端に馬蹄形の取付部を連設したものである。
前実施例と同一の構成については同一の符号をもって図示し、以下相違点を中心に説明する。
【００２１】
図３において、４０は計量スプーンであり、計量部４１と柄部４２、柄部４２の上端に連設した取付部４３とからなっている。
取付部４３は、すり切り１４を形成する補強リング１３を上下から挟持するように馬蹄形の係止部４４が形成されている。
【００２２】
計量スプーンの取出しにあたって、柄部４２と係止部４４を持ってすり切り１４から引張ると、簡単に外すことができ、柄部４２は、計量部４１の先端が容器本体１の底部７にほぼ届くだけの長さをもっているので、前記実施例１と同様の作用効果を得ることができる。
【００２３】
各実施例で、容器本体１を金属板で成形したが、合成樹脂を素材として成形してもよく、また、蓋体２、計量スプーン４の素材も、構成樹脂でも金属板でもよい。
【産業上の利用可能性】
【００２４】
計量部と柄部の全長は、容器本体内の底部にほぼ届く長さに設定されているので、内容物が少なくなった時にも使い勝手がよく、消費者に満足感が得られるものとなるとともに、開口部がシール部材により覆われているので、消費者が最初に使用する時まで内容物の品質が保障され、さらに、計量スプーンの柄部と取付部をヒンジ結合することにより、取付部と柄部と計量部との長さの和が、容器本体内の底部にほぼ届く長さに設定することができるので、粉ミルク等の粉末、顆粒、或いは液体用の計量スプーン付容器に広く利用できる。
【図面の簡単な説明】
【００２５】
【図１】本発明第１実施例の計量スプーン付容器の縦断立面図である。
【図２】容器のシール部材を剥離した時の平面図である。
【図３】第２実施例の計量スプーンの断面立面図である。
【符号の説明】
【００２６】
１    容器本体
２    蓋体
３    シール部材
４    計量スプーン
５    開口端
６    胴部
７    底部
８    膨出環
９    開口部
１０  貼着突条
１１  取出口
１２  棚板部
１３  補強リング
１４  すり切り
１５  係止部
２０  頂壁
２１  側壁
２２  係合突条
２３  受蓋体
２４  連結片
２５  シール材
２６  引張り部
３０  計量部
３１  柄部
３２  取付部
３３  ヒンジ
３４  リブ
３５  穴部
４０  計量スプーン
４１  計量部
４２  板部
４３  取付部
４４  係止部
【図１】
0004823738.tif 000002
【図２】
0004823738.tif 000003
【図３】
0004823738.tif 000004